(57)【要約】【課題】簡単な構成で簡単な操作により確実に取り外し可能であり、かつ、狭い場所でも使用可能な締結部材の除去工具を提供する。【解決手段】ナット等の雌ねじ部を有する締結部材を取り外すための除去工具であって、締結部材の外周に嵌合可能な嵌合筒部と、この嵌合筒部と一体に設けられて嵌合筒部を締結部材に対して回転させるための回転操作部とを備えたものにおいて、嵌合筒部はその内壁に、締結部材の外周に雌ねじ部とは逆方向の逆ねじを形成しつつ締結部材を嵌合筒部の内部へ進入させるための複数の切れ刃を備えた逆ねじ切りダイスを備えており、複数の切れ刃の逃げ面により形成される嵌合筒部の孔径寸法は、締結部材が進入する開口部側からその反対側に向かって小さくなるテーパ状をなしており、逆ねじ切りダイスは嵌合筒部内への締結部材の進入を所定の位置において規制する突き当たり部を有している。【選択図】図１
2013119137.tif 000002
【特許請求の範囲】
【請求項１】
ナット等の雌ねじ部を有する締結部材を取り外すための除去工具であって、
前記締結部材の外周に嵌合可能な嵌合筒部と、この嵌合筒部と一体に設けられて前記嵌合筒部を前記締結部材に対して回転させるための回転操作部とを備えたものにおいて、
前記嵌合筒部はその内壁に、前記締結部材の外周に前記雌ねじ部とは逆方向の逆ねじを形成しつつ前記締結部材を前記嵌合筒部の内部へ進入させるための複数の切れ刃を備えた逆ねじ切りダイスを備えており、
前記複数の切れ刃の逃げ面により形成される前記嵌合筒部の孔径寸法は、前記締結部材が進入する開口部側からその反対側に向かって小さくなるテーパ状をなしており、
前記逆ねじ切りダイスは前記嵌合筒部内への前記締結部材の進入を所定の位置において規制する突き当たり部を有する
ことを特徴とする締結部材の除去工具。
【請求項２】
前記複数の切れ刃は、前記締結部材をねじ切り可能なすくい角を有する第１の切れ刃と、前記締結部材に対して切削抵抗を与えるすくい角を有する第２の切れ刃との少なくとも２種類以上の切れ刃からなることを特徴とする請求項１に記載の締結部材の除去工具。
【請求項３】
前記回転操作部は前記嵌合筒部の軸方向に沿った軸を有する六角ナット形状とされていることを特徴とする請求項１または請求項２に記載の締結部材の除去工具。
【発明の詳細な説明】
【技術分野】
【０００１】
本発明は、円筒形ナットや外周が損傷した六角ナット等の雌ねじ部を有する締結部材の除去工具に関する。
【背景技術】
【０００２】
例えば円筒形ナットや外周が損傷した六角ナット等、スパナが使用できない雌ねじ部を有する締結部材を取り外す際には、従来、ペンチを使用したり、ナットを切ったり、ボルトにナットの孔径と同径の孔を開けてナットを取り外したりする方法が採用されている。しかしながら、ペンチを利用する方法は力をかけ難く、特に締結部材がステンレス製やチタン製の場合には滑り易くてなかなか取り外せないという問題がある。また、ナットを切ったりボルトに孔を開ける方法では、カッターやドリルを使用するためボルトや周辺に傷をつける虞があり、作業を注意深く行わなければならず作業性が悪い。また、ナットを横方向から潰し、挟んで回す工具もあるが、そのような工具も、ナットを潰す際にボルトに傷をつける虞があるため、作業を慎重に行わなければならず、作業性が悪い。また、上記のいずれの方法においても狭い場所では作業が困難であったり不可能であり、作業スペースが確保できない場所では採用できない。
【０００３】
一方、例えば特表２００２−５２４２９３のように、締結部材に損傷を与えることなく取り外すことが可能な、専用の除去工具も提案されている。
【先行技術文献】
【特許文献】
【０００４】
【特許文献１】特表２００２−５２４２９３
【発明の概要】
【発明が解決しようとする課題】
【０００５】
しかしながら、上記従来の専用の除去工具は、部品点数が多くて構造が複雑である上、ラチェットレンチやレンチを使用するため、除去作業は広いスペースが確保できる場所に限られる。また、除去工具をカラー（ナット）に押し付けることによりロックして回転させる構成であるから、回転させづらく、ボルトが共回りする虞がある。さらに、カラー（ナット）がステンレス製やチタン製の場合は滑りやすいので、上手くロックできない虞がある。
【０００６】
本発明は上記のような事情に基づいて完成されたものであって、簡単な構成で、簡単な操作により確実に取り外し可能であり、かつ、狭い場所でも使用可能な締結部材の除去工具を提供することを目的とする。
【課題を解決するための手段】
【０００７】
上記課題を解決するためになされた本発明は、ナット等の雌ねじ部を有する締結部材を取り外すための除去工具であって、前記締結部材の外周に嵌合可能な嵌合筒部と、この嵌合筒部と一体に設けられて前記嵌合筒部を前記締結部材に対して回転させるための回転操作部とを備えたものにおいて、前記嵌合筒部はその内壁に、前記締結部材の外周に前記雌ねじ部とは逆方向の逆ねじを形成しつつ前記締結部材を前記嵌合筒部の内部へ進入させるための複数の切れ刃を備えた逆ねじ切りダイスを備えており、前記複数の切れ刃の逃げ面により形成される前記嵌合筒部の孔径寸法は、前記締結部材が進入する開口部側からその反対側に向かって小さくなるテーパ状をなしており、前記逆ねじ切りダイスは前記嵌合筒部内への前記締結部材の進入を所定の位置において規制する突き当たり部を有するところに特徴を有する。
【０００８】
上述した本発明の締結部材の除去工具を使用する際には、嵌合筒部を締結部材の外周に嵌め込み、回転操作部を回転させることにより、締結部材の外周にその雌ねじ部とは逆方向の逆ねじを形成しつつ、締結部材を嵌合筒部の奥方へ進入させる。
【０００９】
この時、複数の切れ刃の逃げ面により形成される嵌合筒部の孔径寸法は奥方ほど狭くなるテーパ状に形成されているので、締結部材が奥方に進入するのに従い、締結部材の外周に形成される逆ねじは、逆ねじ切りダイスの切れ刃によって徐々に深く切削されていく。すなわち、締結部材が奥方に進入するのに従い、ねじ切りに要する力が大きくなって、回転トルクが上昇する。そして、締結部材が嵌合筒部の所定の位置まで進入すると、その回転トルクが締結部材を取り外す際に要する回転トルクを上回り、ついには、嵌合筒部と締結部材とが一体となって締結部材を取り外す方向（逆ねじ方向）に回転されることとなる。あるいは、ねじ切りの回転トルクが締結部材を取り外す際に要する回転トルクに達しない場合でも、締結部材はその端部が逆ねじ切りダイスの突き当たり部に当接したところで嵌合筒部内へのそれ以上の進入が規制されるから、ねじ切りは停止され、嵌合筒部と締結部材とが一体となって締結部材を取り外す方向に回転される。
【００１０】
このように、本発明の締結部材除去工具によれば、締結部材に嵌合筒部を嵌合させてねじ切りしつつ回転操作するという簡単な操作により、締結部材を簡単に取り外すことができる。
【００１１】
また、複数の切れ刃を、締結部材をねじ切り可能なすくい角を有する第１の切れ刃と、締結部材に対して切削抵抗を与えるすくい角を有する第２の切れ刃との少なくとも２種類以上の切れ刃から構成するようにしてもよい。
【００１２】
締結部材をねじ切り可能なすくい角の具体的数値は、締結部材及び逆ねじ切りダイスの材質や硬度によって相違するが、鉄系の締結部材及び逆ねじ切りダイスの場合については、例えば１０〜２５度の範囲が好ましい。１０度未満では切れ味が悪くなり、２５度を超えると、逃げ角にもよるが、刃先強度が弱くなるからである。また、より好ましくは、切れ味の観点から、１５〜２０度の範囲とすることがよい。一方、締結部材に対して十分な切削抵抗を与えるには、すくい角を−３〜１０度とすることが好ましい。第２の切れ刃は、実際には締結部材を切削しない抵抗刃として作用し、第１の切れ刃によるねじ切り易さを抑制する。
【００１３】
さらに、回転操作部を六角ナット形状とすることにより、回転操作時に汎用のスパナ等を使用することが可能となり、便利である。
【発明の効果】
【００１４】
本発明の締結部材除去工具によれば、簡単な構成でコストがかからず、かつ、締結部材に嵌合筒部を嵌合させて回転操作するという簡単な操作によって、狭い場所でも確実かつ容易に締結部材を取り外すことが可能である。
【図面の簡単な説明】
【００１５】
【図１】本発明の一実施形態の締結部材除去工具の斜視図
【図２】同じく平面図
【図３】同じく背面図
【図４】同じく締結部材を嵌合させる前の図２のＡ−Ａ断面図
【図５】同じく締結部材を嵌合させた状態の図２のＡ−Ａ断面図
【図６】同じく締結部材を嵌合させた状態の図２のＢ−Ｂ断面図
【発明を実施するための形態】
【００１６】
本発明の一実施形態を図１ないし図６によって説明する。
【００１７】
図１は本実施形態の締結部材除去工具１０の斜視図である。この除去工具１０は、例えば後述する略円筒形ナット２０（本願発明の締結部材に相当）の外周に嵌合可能な嵌合筒部１１と、この嵌合筒部１１の軸方向の一端側に一体に設けられて、嵌合筒部１１をその軸周りに回転操作可能な六角ナット形状の回転操作部１２とを備えている。
【００１８】
嵌合筒部１１は、例えばチタン製のやや長尺な金属筒体の一端側に一般のねじ切りダイス様の孔部が形成されたものであって、図１および図２に示すように、４つの切れ刃１３と４つの切りくず穴１４とがその内壁面の全周に渡って交互に設けられている。
【００１９】
切れ刃１３は、一般のねじ切りダイスとは逆回りにねじ切り可能な構成とされており、これにより、逆ねじ切りダイス１５を形成している。また、４つの切れ刃１３のうち、隣り合う切れ刃１３同士は互いに異なるすくい角を有しており、かつ、対向する切れ刃１３同士は等しいすくい角を有している。より詳細には、互いに対向する一方の一対の切れ刃１３Ａ，１３Ａ（以下第１の切れ刃とする）のすくい角は、略円筒形ナット２０の外周を良好に切削可能とすべく、１０〜２５度と比較的大きい角度とされている一方、他方の一対の切れ刃１３Ｂ，１３Ｂ（以下第２の切れ刃とする）のすくい角は、―３〜１０度とされており、これにより、第１の切れ刃１３Ａによる略円筒形ナット２０の切れ易さを抑制する抵抗刃として作用するようになっている。
【００２０】
逆ねじ切りダイス１５によりその外周を逆ねじ方向にねじ切りされた略円筒形ナット２０は、実質的には逆ねじ切りダイス１５の逃げ面１６に沿って嵌合筒部１１の奥方へ案内されるのであるが、本実施形態の除去工具１０においては、逆ねじ切りダイス１５の４つの逃げ面１６は、図４に示すように、それら４つの逃げ面１４により形成される嵌合筒部１１の孔径寸法が奥方（図４中右側）ほど小さくなるようにテーパ状をなす構成とされている。
【００２１】
さらに、嵌合筒部１１の開放側の端部１１Ａ（図４中左側）から略円筒形ナット２０の長さＬと同等距離奥まった位置には、嵌合筒部１１の軸に対して垂直面を有する突き当たり部１７が形成されている。
【００２２】
なお、嵌合筒部１１には、その軸方向に沿って突き当たり部１７から回転操作部１２側の端部に貫通する孔部１８が設けられている。
【００２３】
一方、略円筒形ナット２０は、図４に示すように、ボルト３０の一端部に形成された雄ねじ部３１に螺合可能な雌ねじ部２１を有するものであって、その外周面は中間部が周方向にわたって一部切りかかれた形状をなしている。
【００２４】
次に、本実施形態の除去工具１０の使用方法について説明する。ここでは、図４に示すように、工作物１００に設けられた貫通孔１０１に挿入されたボルト３０の雄ねじ部３１に対して雌ねじ部２１を螺合させることにより取り付けられた略円筒形ナット２０を取り外す手順について説明する。
【００２５】
まず、除去工具１０の嵌合筒部１１の逆ねじ切りダイス１５を略円筒形ナット２０の外周に軽く宛って位置合わせし、回転操作部１２を軸周りに回転させる。すると略円筒形ナット２０は、その外周に第１の切れ刃１３Ａによって略円筒形ナット２０の雌ねじ部２１とは逆方向の逆ねじを形成されつつ、嵌合筒部１１の奥方に徐々に進入する。この時、逆ねじ切りダイス１５の複数の逃げ面１６は奥方ほど径小となるテーパ面とされているから、略円筒形ナット２０が嵌合筒部１１内へ進入するのに伴って、第１の切れ刃により形成される逆ねじの深さは深くなっていく一方、第２の切れ刃１３Ｂが円筒形ナット２０に強く押し付けられるようになって切削に対する抵抗が高まり、回転操作のトルクが徐々に上昇する。
【００２６】
さらに回転操作部１２を回転操作し続けると、ついにはねじ切りの回転トルクが略円筒形ナット２０のボルト３０に対するねじ螺合解除の際に必要な回転トルクを上回り、嵌合筒部１１と略円筒形ナット２０とが一体になって回転し始める。これにより、略円筒形ナット２０はボルト３０から取り外される。
【００２７】
また、逆ねじ切りダイス１５の回転トルクが略円筒形ナット２０のボルト３０に対するねじ螺合解除の際に必要な回転トルクを上回らない場合でも、本実施形態の除去工具１０によれば、略円筒形ナット２０の後端面２０Ｂが嵌合筒部１１の開放側の端面１１Ａと面一になるまで進入した場合には、その前端面２０Ａが突き当たり部１７に当接し、それ以上の進入（ねじ切り）が規制される構成とされているから、同じく嵌合筒部１１と略円筒形ナット２０とが一体に回転されるようになり、略円筒形ナット２０をボルト３０から確実に取り外すことが可能である。
【００２８】
このように、本実施形態の除去工具１０によれば、除去工具１０を締結部材２０の外周に嵌合させ、回転操作部１２を回転させるという簡単な操作により、ボルト３０から略円筒形ナット２０を確実、かつ容易に取り外すことができる。
【００２９】
＜他の実施形態＞
本発明は上記記述及び図面によって説明した実施形態に限定されるものではなく、例えば次のような実施形態も本発明の技術的範囲に含まれる。
【００３０】
（１）上記実施形態では、逆ねじ切りダイスは２種類の切れ刃を有する構成としたが、ねじ切り可能な１種類の切れ刃のみで構成してもよい。あるいは、３種類以上の切れ刃を有する構成としてもよい。
【００３１】
（２）上記実施形態では、第１の切れ刃と第２の切れ刃をそれぞれ２つずつ設ける構成としたが、その数は上記実施形態に限るものではない。また、第１の切れ刃と第２の切れ刃を異なる数で設けるようにしてもよい。
【００３２】
（３）上記実施形態では、嵌合筒部１１の開放端面から突き当たり部１７までの距離Ｌを略円筒形ナット２０の長さＬと同じ長さとしたが、略円筒形ナット２０の長さＬより短い距離としてもよい。
【００３３】
（４）回転操作部も上記実施形態に限らず、回転軸と垂直に伸びる把持部を設ける等、任意の形態とすることができる。
【符号の説明】
【００３４】
１０…除去工具（締結部材の除去工具）
１１…嵌合筒部
１２…回転操作部
１３Ａ…第１の切れ刃
１３Ｂ…第２の切れ刃
１４…切りくず穴
１５…逆ねじ切りダイス
１６…逃げ面
１７…突き当たり部
２０…略円筒形ナット（締結部材）
２１…雌ねじ部
３０…ボルト
３１…雄ねじ部
【図１】
2013119137.tif 000003
【図２】
2013119137.tif 000004
【図３】
2013119137.tif 000005
【図４】
2013119137.tif 000006
【図５】
2013119137.tif 000007
【図６】
2013119137.tif 000008